(57)【要約】【課題】一体型アンテナを有する一体型デバイスパッケージの様々な態様が開示される。【解決手段】いくつかの実施形態では、アンテナは、パッケージのダイパッドに沿って画定されることができる。いくつかの実施形態では、アンテナは、第１のパッケージ要素に配置されることができ、一体型デバイスダイは、第２のパッケージ要素に配置されることができる。第１および第２のパッケージ要素は、互いに、積層されることができ、電気的に接続されることができる。いくつかの実施形態では、パッケージは、パッケージ本体の壁に沿って配置された１つまたは複数のアンテナを含むことができる。複数のアンテナは、パッケージとは異なる方向に向かって配置されることができる。【選択図】図１Ａ
2018110393.tif 000002
【特許請求の範囲】
【請求項１】
パッケージ化された一体型デバイスであって、
ダイパッドであって、
前記ダイパッドの第１の側部を画定する放射素子と、
接地素子と、
前記放射素子と前記接地素子との間に配置された非導電性材料と、を備えるダイパッドと、
前記ダイパッドの第２の側部に実装された一体型デバイスダイと、
を備え、
前記一体型デバイスダイは、前記放射素子と、前記接地素子と、に電気的に接続されている、パッケージ化された一体型デバイス。
【請求項２】
前記放射素子は、金属リードフレーム基板の一部を備える、請求項１に記載のパッケージ化された一体型デバイス。
【請求項３】
前記放射素子は、パターン化された金属を備えた非導電性板を備える、請求項１に記載のパッケージ化された一体型デバイス。
【請求項４】
前記接地素子は、金属リードフレーム基板の一部を備える、請求項１に記載のパッケージ化された一体型デバイス。
【請求項５】
前記非導電性材料は、非導電性接着剤を備える、請求項１に記載のパッケージ化された一体型デバイス。
【請求項６】
前記ダイパッドは多層基板をさらに備え、前記接地素子は、前記多層基板の第１の金属層を備え、前記放射素子は、前記多層基板の第２の金属層を備え、前記非導電性材料は、前記第１および第２の金属層間に配置された誘電材料を備える、請求項１に記載のパッケージ化された一体型デバイス。
【請求項７】
前記ダイパッドの周囲の周りに配置された複数のリードをさらに備え、前記一体型デバイスダイは、前記複数のリードに電気的に接続されている、請求項１に記載のパッケージ化された一体型デバイス。
【請求項８】
前記一体型デバイスダイおよび前記ダイパッドが成形材料に少なくとも部分的に埋め込まれるように、前記一体型デバイスダイおよび前記ダイパッド上に適用される前記成形材料をさらに備える、請求項１に記載のパッケージ化された一体型デバイス。
【請求項９】
パッケージ化された一体型デバイスであって、
第１のパッケージ要素であって、
放射素子、
接地素子、
前記放射素子および前記接地素子が配置された第１のパッケージ本体、
前記放射素子との電気的接続を提供する第１の相互接続部、および
前記接地素子との電気的接続を提供する第２の相互接続部を備える第１のパッケージ要素と、
第２のパッケージ要素であって、
一体型デバイスダイ、および
前記一体型デバイスダイが配置された第２のパッケージ本体を備える第２のパッケージ要素と、
を備え、
前記一体型デバイスダイは、前記第１の相互接続部と、前記第２の相互接続部と、に電気的に接続されている、パッケージ化された一体型デバイス。
【請求項１０】
前記第１のパッケージ本体は、前記放射素子および前記接地素子が少なくとも部分的に埋め込まれた成形コンパウンドを備える、請求項９に記載のパッケージ化された一体型デバイス。
【請求項１１】
前記第１の相互接続部は、前記成形コンパウンドを通って延びる第１のモールド貫通型ビア（ＴＭＶ）を備え、前記第２の相互接続部は、前記成形コンパウンドを通って延びる第２のＴＭＶである、請求項１０に記載のパッケージ化された一体型デバイス。
【請求項１２】
前記第２のパッケージ本体は、前記一体型デバイスダイ上に適用された第２の成形コンパウンドを備える、請求項１１に記載のパッケージ化された一体型デバイス。
【請求項１３】
前記第２の成形コンパウンドを通って延びて、前記一体型デバイスダイおよび前記第１の相互接続部を接続する第３のＴＭＶを備える第３の相互接続部と、前記第２の成形コンパウンドを通って延びて、前記一体型デバイスダイおよび前記第２の相互接続部を接続する第４のＴＭＶを備える第４の相互接続部と、をさらに備える、請求項１２に記載のパッケージ化された一体型デバイス。
【請求項１４】
パッケージ化された一体型デバイスであって、
底部と、前記底部から非平行に延びる少なくとも１つの壁と、を備えたパッケージ本体と、
前記パッケージ本体内の前記底部に実装された一体型デバイスダイと、
前記パッケージ本体の前記少なくとも１つの壁に沿って配置された放射素子と、
前記パッケージ本体の前記少なくとも１つの壁に沿って配置され、前記放射素子と、前記一体型デバイスダイと、の間に位置付けられた接地素子と、
を備える、パッケージ化された一体型デバイス。
【請求項１５】
前記パッケージ本体の対応する複数の壁に沿って配置された、複数の放射素子と、複数の接地素子と、をさらに備え、前記複数の放射素子は、異なる方向に配置されている、請求項１４に記載のパッケージ化された一体型デバイス。
【請求項１６】
前記少なくとも１つの壁は、複数の壁を備え、前記複数の壁の各壁は、各壁に連結または形成された前記複数の放射素子のうちの対応する放射素子を有する、請求項１５に記載のパッケージ化された一体型デバイス。
【請求項１７】
前記複数の接地素子のうちの各接地素子は、介在する非導電性材料によって前記複数の放射素子のうちの対応する１つから離間され、前記複数の接地素子のうちの前記接地素子の各々は、前記放射素子のうちの前記対応する１つと、前記一体型デバイスダイと、の間に配置されている、請求項１５に記載のパッケージ化された一体型デバイス。
【請求項１８】
前記複数の放射素子のうちの各放射素子は、前記少なくとも１つの壁の外面に沿って配置され、前記複数の接地素子のうちの各接地素子は、前記少なくとも１つの壁の内面に沿って配置されている、請求項１５に記載のパッケージ化された一体型デバイス。
【請求項１９】
前記複数の放射素子のうちの前記少なくとも１つは、湾曲しているか、または角度が付けられている、請求項１５に記載のパッケージ化された一体型デバイス。
【請求項２０】
前記複数の放射素子のうちの前記少なくとも１つは、内セグメントと、前記一体型デバイスダイから離れる方向に角度を付けられた、１つ以上の外セグメントと、を備える、請求項１９に記載のパッケージ化された一体型デバイス。
【発明の詳細な説明】
【技術分野】
【０００１】
本分野は概して、パッケージ化された一体型デバイスに関し、より詳細には、一体型アンテナを有するパッケージ化された一体型デバイスに関する。
【背景技術】
【０００２】
アンテナは、電磁波を無線で送信および／または受信するために電子システムと共に使用される。例えば、一部のアンテナは、他の電子システムまたはデバイスとの無線通信のために提供され得る。他のアンテナは、特定の電子システム内の無線通信のために提供され得る。一部の電子システムにおいて、アンテナは、１つ以上の一体型デバイスパッケージが実装されたシステム基板（基板実装型アンテナ）上に一体化され得る。他の電子システムにおいて、アンテナは一体型デバイスダイ（ダイ一体型アンテナ）内に一体化され得る。しかしながら、基板実装型アンテナまたはダイ一体型アンテナは、一部の波長範囲（ミリメートル波長範囲など）では適切な無線通信を提供しない場合がある。したがって、アンテナの改善された一体化への継続的な必要性が残っている。
【発明の概要】
【課題を解決するための手段】
【０００３】
一実施形態では、パッケージ化された一体型デバイスが開示される。パッケージ化された一体型デバイスは、ダイパッドを含むことができる。ダイパッドは、ダイパッドの第１の側部を画定する放射素子と、接地素子と、を含むことができる。非導電性材料が、放射素子と、接地素子との間に配置されることができる。一体型デバイスダイは、ダイパッドの第２の側部上に実装されることができる。一体型デバイスダイは、放射素子および接地素子に電気的に接続されることができる。
【０００４】
別の実施形態では、パッケージ化された一体型デバイスが開示される。パッケージ化された一体型デバイスは、第１のパッケージ要素を含むことができる。第１のパッケージ要素は、放射素子および接地素子を含むことができる。第１のパッケージ要素は、放射素子および接地素子が配置された第１のパッケージ本体を含むことができる。第１の相互接続部は、放射素子との電気的接続を提供することができる。第２の相互接続部は、接地素子との電気的接続を提供することができる。パッケージ化された一体型デバイスは、第２のパッケージ要素を含むことができる。第２のパッケージ要素は、一体型デバイスダイと、一体型デバイスダイが配置される第２のパッケージ本体を含むことができる。一体型デバイスダイは、第１の相互接続部および第２の相互接続部に電気的に接続されることができる。
【０００５】
別の実施形態では、パッケージ化された一体型デバイスが開示される。パッケージ化された一体型デバイスは、底部と、底部から非平行に延びる少なくとも１つの壁と、を含むパッケージ本体を含むことができる。パッケージ化された一体型デバイスは、パッケージ本体内で底部に実装された一体型デバイスダイを含むことができる。放射素子は、パッケージ本体の少なくとも１つの壁に沿って配置されることができる。接地素子は、パッケージ本体の少なくとも１つの壁に沿って配置されることができ、放射素子と、一体型デバイスダイとの間に位置付けられることができる。
【０００６】
これらの実施形態のうちのすべては、本明細書で開示される発明の範囲内であることが意図される。それら、および他の実施形態は、添付される図面を参照する、下記の好ましい実施形態の詳細な説明から、当業者には容易に明らかになり、本発明は、開示されるいずれか特定の実施形態に限定されない。
【０００７】
これらの態様および他の態様は、例証を意味し、本発明を限定しない、下記の好ましい実施形態の説明および添付の図面から明らかになるであろう。
【図面の簡単な説明】
【０００８】
【図１Ａ】図１Ａは、ダイパッドが、パッケージ化されたデバイスのアンテナを画定する、パッケージ化された一体型デバイスの概略的な側部断面図である。
【図１Ｂ】図１Ｂは、例証を容易にするために成形材料が省略された、図１Ａのパッケージ化された一体型デバイスの概略的な底面図である。
【図２】図２は、別の実施形態による、第２のパッケージ要素に積層された第１のパッケージ要素を含む、パッケージ化された一体型デバイスの概略的な側部断面図である。
【図３Ａ】図３Ａは、一実施形態による、パッケージ化されたデバイスの壁に沿ってアンテナを有する、パッケージ化された一体型デバイスの概略的な側部断面図である。
【図３Ｂ】図３Ｂは、図３Ａのパッケージ化された一体型デバイスの概略的な上面図である。
【図４Ａ】図４Ａは、別の実施形態による、対応する複数の壁に沿って配置された複数のアンテナを有する、パッケージ化された一体型デバイスの概略的な側部断面図である。
【図４Ｂ】図４Ｂは、図４Ａに示されるパッケージ化された一体型デバイスの概略的な上部断面図である。
【図４Ｃ】図４Ｃは、別の実施形態による、接地素子がパッケージの内面に配置され、放射素子がパッケージの外面に配置された、パッケージ化された一体型デバイスの概略的な上部断面図である。
【図４Ｄ】図４Ｄは、別の実施形態による、連続的に接続された側壁接地板を備えた、パッケージ化された一体型デバイスの概略的な上部断面図である。
【図５Ａ】図５Ａは、別の実施形態による、パッケージ本体の壁においてキャスタレーションが付けられたアンテナを含む、パッケージ化された一体型デバイスの概略的な上部断面図である。
【図５Ｂ】図５Ｂは、別の実施形態による、複数のキャスタレーションが付けられたアンテナを備えたパッケージ化された一体型デバイスの概略的な上部断面図である。
【図５Ｃ】図５Ｃは、さらに別の実施形態による、複数のアンテナと、連続的に接続された側壁接地板と、を備えた、パッケージ化された一体型デバイスの概略的な上部断面図である。
【図６Ａ】図６Ａは、別の実施形態による、パッケージの多数の壁に沿って露出された複数のキャスタレーションが付けられたアンテナを有する、パッケージ化された一体型デバイスの概略的な上部断面図である。
【図６Ｂ】図６Ｂは、パッケージの多数の壁に沿って露出された複数のキャスタレーションが付けられたアンテナと、連続的に接続された側壁接地板と、を有する、パッケージ化された一体型デバイスの概略的な上部断面図である。
【図６Ｃ】図６Ｃは、別の実施形態による、パッケージの多数の壁に沿って露出された複数のキャスタレーションが付けられたアンテナと、連続的に接続された側壁接地板と、を有するパッケージ化された一体型デバイスの概略的な上部断面図である。
【発明を実施するための形態】
【０００９】
パッケージ化された一体型デバイスが、添付の図面を参照して説明される。図面は概略的であり、正確な縮尺ではない。
【００１０】
本明細書で開示される様々な実施形態は、アンテナをシステムレベル基板に実装すること、またはアンテナを一体型デバイスダイ（処理装置ダイなど）上に画定することとは対照的に、１つ以上のアンテナを、一体型デバイスパッケージに一体化する。有益に、アンテナの装置パッケージへの一体化は、多くの一体型デバイスパッケージの外径寸法は、およそ１ｍｍ〜５ｃｍであり得るため、ミリメートル波長範囲（例えば、３０ＧＨｚ〜３００ＧＨｚの範囲の波長）での通信を可能にする。対照的に、基板実装型アンテナまたはダイ一体型アンテナでミリメートル波長の通信を提供することは困難であり得る。例えば、基板実装型アンテナは、システム基板上の貴重な空間を占領し得、これはシステム基板設計の外径および複雑さを増加させる。さらに、ミリメートル波長の信号を受信する、および／または送信する寸法である一体型デバイスダイ上に、または一体型デバイスダイ内に、アンテナを提供することは困難であり得る。
【００１１】
したがって、本明細書で開示される様々な実施形態は、アンテナをパッケージ上またはパッケージ内に画定するパッケージ構造を利用する。パッケージ構造は、有利に、広い範囲の波長上（例えば、２ＧＨｚ〜２００ＧＨｚの範囲での多数の周波数で）の無線通信を可能にすることができる、異なる形状、寸法、および／または配向を有するアンテナの設計を可能にし得る。さらに、アンテナは、そうでなければ、特に高周波の適用について、基板実装型またはダイ一体型アンテナにおいて達成するのが困難であり得る、望ましいビームフォーミングおよび／または指向性能力を生み出すように、形作られ、パッケージ内に位置付けられる。また、アンテナをパッケージ内に一体化することは、アンテナと、関連する一体型デバイスダイとの間の信号経路が短縮され得るため、システムの性能を向上させることができる。有益に、本明細書で説明されるアンテナは、ダイをパッケージ化するために使用されるパッケージ技術および／または材料を使用して製造されることができる。
Ａ．アンテナを備えたダイパッド
【００１２】
いくつかの実施形態では、１つ以上のアンテナが、パッケージ化された一体型デバイスのダイパッドの少なくとも一部によって画定されることができる。図１Ａは、一実施形態による、パッケージ化された一体型デバイス１００（一体化型デバイスパッケージ、またはパッケージとも呼ばれる）の概略的な側部断面図である。図１Ｂは、例証を容易にするために成形材料（例えば、成形材料１３０）が省略された、図１Ａのパッケージ化された一体型デバイス１００の概略的な底面図である。パッケージ化された一体型デバイス１００は、パターン化された金属リードフレームによって画定されたパッケージ基板１０１を含むことができる。パッケージ基板１０１は、ダイパッド１１０と、ダイパッド１１０の周囲に配置された複数のリード１０２と、を含むことができる。ダイパッド１１０は、ダイパッド１１０の第１の側部を画定する放射素子１１１と、ダイパッド１１０の第２の側部を画定することができる接地素子１１２と、を含むアンテナを含むことができる、または画定することができる。非導電性材料１１３が、放射素子１１１と、接地素子１１２との間に配置されることができる。様々な実施形態では、非導電性材料１１３は、例えばエポキシなどの、非導電性ダイ取り付け材料などの接着剤を含むことができる。他の実施形態では、追加の誘電材料が、放射素子１１１と、接地素子１１２との間に設けられることができる。例えば、追加の誘電材料は、セラミックまたはＦＲ４基板を含むことができる。追加の誘電材料で、放射素子と接地素子との間の空間、および誘電率が制御されることができる。したがって、ダイパッド１１０の様々な部品（例えば、放射素子１１１、接地素子１１２、および介在する非導電性材料１１３）は、パッケージ化された一体型デバイス１００に対して信号を送信する、および／または受信するためのアンテナを画定することができる。
【００１３】
様々な実施形態では、放射素子１１１と接地素子１１２の両方は、各リードフレーム基板の一部を含むことができ、例えば、放射素子１１１および接地素子１１２は、各パターン化された金属板またはシート（パターン化された銅板またはシートなど）の一部を含むことができる。いくつかの実施形態では、放射素子１１１は、第１のリードフレーム基板から画定されることができ、接地素子１１２は、第２のリードフレーム基板から画定されることができる。放射素子１１１および接地素子１１２は、互いの上部に配置され、接着剤（例えば、非導電性接着剤）で取り付けられることができる。いくつかの実施形態では、放射素子１１１および接地素子１１２の厚さは同じであってもよい。放射素子１１１および／または接地素子１１２の厚さは、リード１０２の厚さとも、ほぼ同じであってもよい。他の実施形態では、放射素子１１１および接地素子１１２の厚さは異なってもよい。例えば、放射素子１１１および接地素子１１２の厚さは、０．０１ｍｍ〜０．４ｍｍの範囲であり得る。しかしながら、他の実施形態では、放射素子１１１および接地素子１１２の厚さは異なってもよい。いくつかの実施形態では、放射素子１１１は、接地素子１１２に付着された金属片を含むことができる。さらに他の実施形態では、放射素子１１１と接地素子１１２とのうちの１つ、または両方は、アンテナの放射および／または接地部分を画定する、パターン化された金属を備えた非導電性板を含むことができる。様々な実施形態では、パッケージ化された一体型デバイス１００は、接地素子１１２を画定する第１の金属層と、放射素子１１１を画定する第２の金属層と、非導電性材料１１３を画定する、介在する誘電層と、を備えた多層基板を含むことができる。
【００１４】
一体化されたデバイスダイ１２０は、例えば、接地素子１１２などのダイパッド１１０の第２の側部に実装されることができる。接着剤１０４は、ダイ１２０をダイパッド１１０に取り付けるために使用されることができる。様々な実施形態では、接着剤１０４は、非導電性材料１１３と同じ、または異なってもよい、ダイ取り付け材料を含むことができる。一体型デバイスダイ１２０は、処理装置ダイ（例えば、特定用途向け集積回路、すなわちＡＳＩＣ）、センサダイ、メモリダイなどの任意の好適な種類のデバイスダイを含むことができる。また、様々な実施形態では、多数のダイが、様々な配置でパッケージ１００に設けられてもよい。いくつかの実施形態では、ダイ１２０は、ダイ１２０のアクティブ面に、またはアクティブ面の近くに画定された処理回路を含んでもよい。一体型デバイスダイ１２０は、リード１０２、放射素子１１１、および接地素子１１２と電気的に通信することができる。例えば、１つ以上の接着ワイヤ１０７は、一体型デバイスダイ１２０の両方のパッドをリード１０２に接続することができる。リード１０２と、一体型デバイスダイ１２０との間の電気的接続は、パッケージ１００が実装される、ダイ１２０と、より大きな電子システムのマザーボード（図示せず）との間で送信される信号を含むことができる。
【００１５】
図１Ａ〜１Ｂに示されるように、一体型デバイスダイ１２０は、接着ワイヤ１０７によって、接地素子１１２および放射素子１１１と電気的に通信することもできる。例えば、接地素子１１２は、接地素子１１２から外向きに延びる接地リード延長部１０６を含むことができる。接地リード延長部１０６は、ダイ１２０を電気的接地に電気的に接続する、露出された金属延長部を含むことができる。同様に、放射素子１１１は、放射素子１１１から外向きに延びる放射リード延長部１０５を含むことができる。放射リード延長部１０５は、ダイ１２０をアンテナの放射素子に電気的に接続する、露出された金属延長部を含むことができる。接地リード延長部１０６および放射リード延長部１０５は、ダイ１２０が、互いに概して平行に配置され得る放射素子１１１と、接地素子１１２との両方を電気的に接続することを可能にすることができる。そのため、動作中、接地素子１１２は、アンテナを電気的接地に接続することができ、放射素子１１１は、ダイ１２０と、他の電子部品（同じ電子システム内、または遠隔システムにあり得る）との間の無線通信用の電磁信号を送信することができる、および／または受信することができる。
【００１６】
また、いくつかの実施形態では、パッケージ化された一体型デバイス１００は、ダイ１２０およびダイパッド１１０が少なくとも部分的に成形材料１３０に埋め込まれるように、一体化されたデバイスダイ１２０およびダイパッド１１０上に適用された成形材料１３０をさらに含むことができる。例示の実施形態では、例えば、ダイ１２０およびダイパッド１１０は、成形材料１３０に完全に埋め込まれる。しかしながら、他の実施形態では、パッケージ本体は、成形材料を含まなくてもよい。基本的に、図１Ａおよび１Ｂの実施形態は、一体型デバイスダイ１２０のパッケージ化および電気的な接続用と同じパッケージ技術および構造を使用する、アンテナの、パッケージ１００のダイパッド１１０への一体化を可能にする。
Ｂ．積層されたパッケージ用のアンテナ
【００１７】
本明細書で開示される様々な実施形態は、第１のパッケージ要素が第２のパッケージ要素に積層される一体型デバイスパッケージに関する。第１のパッケージ要素は、放射素子および接地素子を含むアンテナを含むことができる。第２のパッケージ要素は、第２のパッケージ要素におけるアンテナに電気的に連結されたパッケージ化された一体型デバイスを含むことができる。有益に、本明細書で開示される積層されたパッケージ要素は、パッケージ構造および技術を使用する、ミリメートル波アンテナのデバイスパッケージ内への一体化を可能にすることができる。パッケージ構造を使用するアンテナの一体化は、基板レベル技術と比較して、シグナルインテグリティを向上させ、アンテナによって使用されるフットプリント全体を減少させることもできる。
【００１８】
図２は、一実施形態による、パッケージ化された一体型デバイス２００（またはパッケージ）の概略的な側部断面図である。パッケージ化された一体型デバイス２００は、第２のパッケージ要素２２０に積層され、電気的に接続された第１のパッケージ要素２１０を含むことができる。第１のパッケージ要素２１０は、放射素子２１１および接地素子２１２を含むアンテナを含むことができ、これは、図１Ａ〜１Ｂに関して上記で説明された放射素子および接地素子と同様であってもよい。例えば、上記で説明されたように、放射素子２１１と、接地素子２１２とのうちの一方または両方は、パターン化された金属板またはシート、パターン化された金属を備えた非導電性板、またはアンテナを画定する任意の他の好適な構造を含むことができる。第１のパッケージ要素２１０は、放射素子２１１との電気的接続を提供する第１の相互接続部２１３と、接地素子２１２との電気的接続を提供する第２の相互接続部２１４と、をさらに含むことができる。
【００１９】
図２に示されるように、第１のパッケージ要素２１０は、放射素子２１１および接地素子２１２が配置される第１のパッケージ本体２１５をさらに含むことができる。例示の実施形態では、第１のパッケージ本体２１５は、放射素子２１１および接地素子２１２上に適用される成形コンパウンドなどの誘電材料を含む。しかしながら、他の実施形態では、第１のパッケージ部品２１０は、キャビティを画定する筐体などの、任意の他の好適な種類のパッケージ本体、またはＰＣＢ基板におけるような誘電材料のラミネート層を含むことができる。
【００２０】
図２では、第１および第２の相互接続部２１３、２１４は、第１のパッケージ本体２１５の非導電性の成形コンパウンドを通って形成される導電性のモールド貫通型ビア（ＴＭＶ）を含む。例証されるように、放射素子２１１および接地素子２１２は、成形コンパウンドの一部が、放射素子２１１と接地素子２１２との間に配置され、放射素子２１１と接地素子２１２とを電気的に分離するように、第１のパッケージ本体２１５の成形コンパウンドに完全に埋め込まれることができる。例示の実施形態では、第１のパッケージ要素２１０は、一体型デバイスダイを含まないが、他の実施形態では、第１のパッケージ要素２１０は、１つ以上の一体型デバイスダイ（処理装置ダイ、メモリダイ、センサダイなど）をさらに含むことができる。
【００２１】
図２に示されるように、第１のパッケージ要素２１０は、複数の電気コネクタ２０１によって第２のパッケージ要素２２０に電気的に接続されることができる。例示の実施形態では、複数の電気コネクタ２０１は、複数のはんだボールを含む。第２のパッケージ要素２２０は、パッケージ化された一体型デバイスダイを含むことができる。例えば、第２のパッケージ要素２２０は、パッケージ基板２０２と、パッケージ基板２０２に実装された一体型デバイスダイ２２１と、を含むことができる。パッケージ基板２０２は、プリント回路基板（ＰＣＢ）、リードフレーム、成形されたリードフレーム、セラミック基板などの任意の好適な種類の基板を含むことができる。一体型デバイスダイ２２１は、処理装置ダイ（例えば、特定用途向け集積回路、すなわちＡＳＩＣ）、メモリダイ、センサダイなどの任意の好適な種類のデバイスダイを含むことができる。一体型デバイスダイ２２１は、任意の好適な方式でパッケージ基板２０２に電気的に接続されることができる。例えば、いくつかの実施形態では、一体型デバイスダイ２２１は、基板２０２にワイヤ接着されることができる。他の実施形態では、一体型デバイスダイ２２１は、はんだボールまたは他のコネクタによって基板にフリップチップ実装されることができる。
【００２２】
第２のパッケージ要素２２０は、一体型デバイスダイ２２１が配置される第２のパッケージ本体２２２をさらに含むことができる。第１のパッケージ要素２１０のように、第２のパッケージ本体２２２は、ダイ２２１が成形コンパウンドに少なくとも部分的に埋め込まれるように一体型デバイスダイ２２１上に適用された成形コンパウンドを含むことができる。第２のパッケージ要素２２０は、第３の相互接続部２２３および第４の相互接続部２２４をさらに含むことができる。第１のパッケージ要素２１０のように、第３および第４の相互接続部２２３、２２４は、第２のパッケージ本体２２２の成形コンパウンドを通って配置された導電性ＴＭＶを含むことができる。第３の相互接続部２２３は、対応する、介在する電気コネクタ２０１によって、パッケージ基板２０２の上面を第１の相互接続部２１３に接続することができる。第４の相互接続部２２４は、別の対応するコネクタ２０１によって、パッケージ基板２０２の上面を第２の相互接続部２１４に接続することができる。一体型デバイスダイ２２１は、基板２０２の内部トレースによって第３および第４の相互接続部２２３、２２４へ電気的に接続することができる。
【００２３】
したがって、ダイ２２１は、基板と、第３および第４の相互接続部２２３、２２４と、電気コネクタ２０１と、第１および第２の相互接続部２１３、２１４と、の導電性トレースによって、放射素子２１１および接地素子２１２と電気的に通信することができる。第２の電気コネクタ２０３（例えば、はんだボール）は、パッケージ２００を、より大きな電子システムへの一体化のためにシステムマザーボード（図示せず）と電気的に接続することができる。有益に、図２の実施形態は、パッケージ技術の使用を可能にして、アンテナ（例えば、放射素子２１１、接地素子２１２、および介在する成形コンパウンド）を、一体型デバイスダイ２２１を含む第２のパッケージ要素に積層され、電気的に接続された第１のパッケージ要素において提供することができる。このような積層されたパッケージ技術の使用は、パッケージ２００にアンテナを一体化する効率的で費用効果の高い方法を提供し、一方でシグナルインテグリティを向上させることができる。
【００２４】
他の実施形態では、パッケージ本体２１５、２２２のうちの一方または両方は、要素が配置される各キャビティを画定するパッケージ筐体を含むことができることが理解されるべきである。さらに、他の実施形態では、電気的な相互接続部は、ワイヤ接着、または第１および第２のパッケージ要素２１０、２２０を電気的に接続するために使用されることができる他の好適な導電性相互接続部を含むことができる。同様に、内部の電気的な相互接続部は、示されるようなＴＭＶを含むことができ、またはパッケージ壁上またはパッケージ壁内のトレースを含むことができる。
Ｃ．指向性アンテナを備えたパッケージ
【００２５】
本明細書で開示される様々な実施形態は、パッケージの１つ以上の壁に一体化された、または連結された、１つ以上の指向性アンテナを備えたパッケージ化された一体型デバイスに関する。図３Ａは、一実施形態による、パッケージ化された一体型デバイス３００（パッケージとも呼ばれる）の概略的な側部断面図である。図３Ｂは、図３Ａのパッケージ化された一体型デバイス３００の概略的な上面図である。パッケージ化された一体型デバイス３００は、一括してパッケージ筐体３１０と呼ばれる、パッケージ本体３１１およびパッケージ化された蓋３１２を含むことができる。パッケージ本体３１１は、底部３０３と、非平行な横方向Ｔに沿って底部３０３から延びる１つ以上の壁３０２を含むことができる。図３Ｂに例証されるように、パッケージ本体３１１は、多角形（例えば、四角形）の形状でパッケージ内部の周りに配置された４つの壁を含むことができるが、他の実施形態では、異なる形状の壁３０２が使用されてもよい。図３Ａに示されるように、パッケージ蓋３１２は、壁３０２の先端に実装されて、キャビティ３０１を画定することができる。様々な実施形態では、キャビティ３０１は、空気で満たされてもよい。さらに他の実施形態では、成形コンパウンド、不活性ガス、または他の充填材料がキャビティ３０１に提供されることができる（この場合、パッケージ蓋があってもよく、またはなくてもよい）。パッケージ本体３１１（例えば、壁３０２および底部３０３）は、様々な実施形態では、セラミック構造を含むことができる。他の実施形態では、パッケージ本体３１１は、キャビティ３０１が画定されるポリマーまたはラミネート基板を含むことができる。さらに他の種類のパッケージ本体が、本明細書で開示される実施形態に使用されてもよい。
【００２６】
パッケージ化された一体型デバイス３００は、パッケージ本体３１１の底部３０３の実装面３０４上に配置された一体型デバイスダイ３２０をさらに含む。他の実施形態では、一体型デバイスダイ３２０は、パッケージ本体３１１の他の面上に実装されてもよい。上記で説明されたように、一体型デバイスダイ３２０は、処理装置ダイ（例えば、特定用途向け集積回路、すなわちＡＳＩＣ）、センサダイ、メモリダイなどの任意の好適なデバイスダイを含むことができる。一体型デバイスダイ３２０は、例示の実施形態においてキャビティ３０１内に配置されることができる。他の実施形態では、成形コンパウンドまたは封止材料がダイ上に配置されることができる。例示の実施形態では、ダイ３２０は、ダイ３２０の接着パッドが、対応する底部３０３の接触部へ電気的に接続するように（例えば、はんだ、または異方性導電膜などの導電性接着剤を介在させることによって）、底部３０３に実装されたフリップチップである。他の実施形態では、ダイ３２０は、底部３０３のパッドまたはトレースにワイヤ接着されることができる。
【００２７】
いくつかの実施形態では、パッケージ化された一体型デバイス３００は、パッケージ３００の壁３０２に沿って配置されたアンテナを含むことができる。図１Ａ〜２の実施形態のように、アンテナは、介在する非導電性または誘電性の材料によって、放射素子３４０から離間された放射素子３４０および接地素子３３０を含むことができる。放射素子３４０は、図１Ａ〜２の放射素子１１１、２１１と同様であってもよく、接地素子３３０は、図１Ａ〜２の接地素子１１２、２１２と同様であってもよい。放射素子３４０および／または接地素子３３０は、銅などの任意の好適な金属を含むことができる。横方向Ｔに沿った放射素子３４０の寸法は、１ｍｍ〜５ｃｍの範囲にあり得る。パッケージ壁３０２は、放射素子３４０および接地素子３３０を電気的に分離する誘電材料を含んでもよい。上記で説明されるように、放射素子３４０、接地素子３３０、および介在する誘電材料を含むアンテナは、パッケージ３００から、および／またはパッケージ３００に、電磁信号を送信する、および／または受信するために使用されることができる。
【００２８】
図３Ａ〜３Ｂに示される実施形態では、放射素子３４０は、例えば、実装面３０４に非平行であり得る横方向Ｔに沿って配置されるなど、パッケージ本体３１１の壁３０２に縦に沿って配置されることができる。接地素子３３０は、放射素子３４０と一体型デバイスダイ３２０との間の壁３０２に縦に沿って配置されることもできる。したがって、放射および接地素子３４０、３３０の長さは、放射および接地素子３４０、３３０の横の厚さよりも、壁の高さに沿った横方向Ｔに沿って、より長くてもよい。図３Ａおよび３Ｂに示されるように、接地素子３３０は、一体型デバイスダイ３２０間の電気的な通信を提供する（例えば、ダイ３２０と底部３０３との間のフリップチップ接続によって）第１のトレース部分３３０ａと、壁３０２に縦に沿って配置された第２の部分３３０ｂと、を含むことができる。同様に、放射素子３４０は、一体型デバイスダイ３２０間の電気的な通信を提供する（例えば、ダイ３２０と底部３０３との間のフリップチップ接続によって）第１のトレース部分３４０ａと、壁３０２に縦に沿って配置された第２の部分３４０ｂと、を含むことができる。図３Ａ〜３Ｂに示されるように、接地素子３３０および放射素子３４０は、パッケージ本体３１１に完全に埋め込まれることができる（例えば、壁３０２に埋め込まれる）。しかしながら、他の実施形態では、放射素子３４０は、壁３０２の外面に配置されてもよく、および／または接地素子３３０は、壁３０２の内面に配置されてもよい（例えば、キャビティ３０１に露出される）。
【００２９】
例示の実施形態では、放射素子３４０の放射方向Ｒは、パッケージ本体３１１の壁３０２に概して垂直であってもよく、例えば、信号が放射方向Ｒに沿ったパッケージ３００から送信されてもよく、および／またはパッケージ３００によって受信されてもよい。図３Ａ〜３Ｂの実施形態では、アンテナ（放射素子３４０、接地素子３３０、および放射素子３４０と接地素子３３０との間に介在する壁３０２の一部を含む）は、電磁放射が１つの方向Ｒに概して沿って伝搬するようにパッケージ３００の１つのみの縦壁３０２に沿って配置されてもよい。したがって、有益に、図３Ａ〜３Ｂの実施形態では、パッケージ３００は、アンテナが、送信および／または受信の好ましい方向に向いて連結される壁３０２を位置付けるように、より大きな電子システムに設置されることができる。しかしながら、下記で説明されるように、多数のアンテナは、多方向の放射を可能にするように提供されることができる。
【００３０】
図４Ａは、別の実施形態による、パッケージ化された一体型デバイス３００の概略的な側部断面図である。図４Ｂは、図４Ａに示されるパッケージ化された一体型デバイス３００の概略的な上部断面図である。特に述べられない限り、図４Ａ〜４Ｂに示されるパッケージ３００の要素は、図３Ａ〜３Ｂに示された同じ数字が付された要素と同じ、または概して同様であり得る。例えば、図３Ａ〜３Ｂの実施形態のように、一体型デバイスダイ３２０は、キャビティ３０１内の底部３０３の実装面３０４に実装されることができる。図３Ａ〜３Ｂの例示の実施形態とは異なり、図４Ａ〜４Ｂの一体型デバイスダイ３２０は、接着ワイヤ３０７によってパッケージ本体３１１のトレースにワイヤ接着されることができる。例示の実施形態では、接着ワイヤ３０７は、パッケージ本体３１１の堤上のトレースに接続する。しかしながら、他の実施形態では、図３Ａ〜３Ｂのように、ダイはパッケージ本体の底部上のパッドにワイヤ接着されることができ、底部３０３にフリップチップ実装されることができる。
【００３１】
図３Ａ〜３Ｂの実施形態のように、少なくとも１つのアンテナ（例えば、放射素子３４０、接地素子３３０、および非導電性壁３０２の介在する部分）は、パッケージ本体３１１の壁３０２上、または壁３０２内に位置付けられることができる。図３Ａ〜３Ｂの実施形態では、図４Ａ〜４Ｂのパッケージ３００は、複数の壁３０２に沿って配置された複数のアンテナ（例えば、対応する複数の放射素子３４０および離間した接地素子３３０）を含むことができる。例示の実施形態では、４つの放射素子３４０および４つの接地素子３３０は、４つの対応するパッケージ壁３０２に沿ったパッケージ本体３１１の内部に縦に配置されることができる。しかしながら、任意の好適な数の壁３０２および対応するアンテナが、他の多角形のパッケージ形状で提供されてもよいことが理解されるべきである。図３Ａ〜３Ｂのように、各接地素子３３０は、対応する放射素子３４０と、一体型デバイスダイ３２０との間に配置されることができる。さらに、例示の実施形態では、放射素子３４０および接地素子３３０は、パッケージ本体３１１に埋め込まれる。
【００３２】
有益に、図４Ａ〜４Ｂに示される多数の放射素子３４０および接地素子３３０は、多数の方向に沿った電磁放射の光線を形成するように設計されることができる。例えば、４つの壁３０２がアンテナを含む図４Ａ〜４Ｂの実施形態では、放射は４つの放射方向Ｒ１、Ｒ２、Ｒ３、Ｒ４に沿って送信されてもよく、および／または受信されてもよい。さらに、パッケージ壁３０２におけるアンテナの一体化は、費用効果が高くあり得、アンテナを壁３０２に連結するパッケージ技術を使用して容易に製造されることができる。
【００３３】
図４Ｃは、別の実施形態による、パッケージ化された一体型デバイス３００の概略的な上部断面図である。特に述べられない限り、図４Ｃに示されるパッケージ３００の要素は、図３Ａ〜４Ｂに示される同じ数が付された要素と同じ、または概して同様であり得る。例えば、図４Ａ〜４Ｂの実施形態のように、１つ以上のアンテナ（例えば、放射素子３４０、接地素子３３０、および壁３０２の介在する非導電性部分）は、パッケージ本体３１１の１つ、または複数の壁３０２に沿って配置される（例えば、縦に）ことができる。例えば、パッケージ本体３１１は、４つの壁３０２を含むことができるが、任意の好適な数の壁が提供されてもよい。壁３０２の各々は、外面３０６および内面３０８を有することができる。例示される実施形態において、放射素子３４０は、壁３０２の外面３０６に沿って配置されることができる。接地素子３３０は、壁３０２の内面３０８に沿って配置されることができ、例えば、接地素子３３０は、キャビティ３０１（図４Ａ）に露出されてもよい。
【００３４】
図４Ｄは、別の実施形態による、パッケージ化された一体型デバイス３００の概略的な上部断面図である。特に述べられない限り、図４Ｄに示されるパッケージ３００の要素は、図４Ｃに示される同じ数が付された要素と同じ、または概して同様であり得る。しかしながら、図４Ｃの実施形態とは異なり、図４Ｄの実施形態では、接地素子３３０は、キャビティ３０１および／またはデバイスダイ３２０の周りに環状の、または閉じられたループを含むことができる。したがって、図４Ｄのパッケージ３００では、連続的に接続された側壁接地板が、パッケージ３００の壁３０２に沿って配置されたアンテナに対する共通の接地を画定するように提供されてもよい。したがって、本明細書で開示される実施形態では、複数の接地素子３３０は、対応する放射素子３４０と関連付けられてもよく、または、接地素子３３０は、連続的に接続された側壁接地板を提供するように相互接続されることができる（または単一の閉構造を画定することができる）。
【００３５】
図５Ａは、別の実施形態による、角度が付けられた、または湾曲したアンテナをパッケージ本体３１１の壁３０２に含む、パッケージ化された一体型デバイス３００の概略的な上部断面図である。特に述べられない限り、図５Ａに示されるパッケージ３００の要素は、図３Ａ〜４Ｄに示される同じ数が付された要素と同じ、または概して同様であり得る。例えば、図３Ａ〜４Ｄに関して説明された実施形態のように、アンテナ（例えば、放射素子３４０、接地素子３３０、および介在する非導電性材料）は、パッケージ本体３１１の壁３０２に沿って（例えば、縦に）延びることができる。例えば、図５Ａでは、放射および接地素子３４０、３３０は、壁３０２に少なくとも部分的に（例えば、完全に）埋め込まれることができる。本明細書で説明されるように、パッケージ本体３１１は、封止材料がダイ３２０の上に配置される外側被覆されたパッケージを含むことができ、その場合、壁３０２は、パッケージ３００の縦側壁を含む。他の実施形態では、パッケージ本体３１１は、図３Ａのパッケージ３００などのキャビティパッケージを含むことができる。
【００３６】
しかしながら、図３Ａ〜４Ｄの実施形態とは異なり、図５Ａの放射素子３４０および接地素子３３０は、角度が付けられていてもよく、または湾曲していてもよい。例えば、図５Ａに示されるように、放射素子３４０および接地素子３３０のうちの各々は、内セグメント３１３と、一体化型デバイスダイ３２０に対して内セグメント３１３から外向きに延びる１つ以上（例えば、２つ）の外セグメント３１４と、を含むことができる。図５Ａの実施では、放射素子３４０および接地素子３３０の外セグメント３１４は、角度が付けられた、または曲げられた部分３０９で、内セグメント３１３に対して外向きに角度が付けられることができる。例示される実施形態では、角度が付けられた部分３０９は、比較的直線状の内および外セグメント３１３、３１４を互いに対して角度を付けて位置付ける角部を含むことができる。しかしながら、他の実施形態では、角度が付けられた、または曲げられた部分は、放射素子および／または接地素子が円または湾曲した外形を壁に画定するように、湾曲している、または平滑であることができる。
【００３７】
いくつかの実施形態では、放射素子３４０および接地素子３３０の湾曲した、または角度が付けられた形状は、構造的に、および機能的にパラボラアンテナに近似し得、これは、小さな、または十分に制御された角度（図５Ｂにおける放射方向Ｒを参照）上で放射を有益に送信することができる、または受信することができる。図５Ａの実施形態では、図３Ａ〜３Ｂの実施形態のように、アンテナは、壁３０２に垂直であり得る放射方向Ｒに概して沿って電磁放射を送信する、および／または受信するように１つの壁３０２のみに沿って配置されることができるが、壁３０２から、および／または壁３０２に、多数の角度で放射を送信してもよい、および／または受信してもよい。しかしながら、図５Ｂ〜５Ｃに関して下記で説明されるように、多数のキャスタレーションが付けられた、または角度が付けられたアンテナが、多数の壁３０２に沿って配置されることができる。角度が付けられたアンテナは、任意の好適な方式で形成され得る。例えば、角度が付けられたセグメント３１３、３１４は、セラミック材料の積層によって、または、その内容全体が本明細書に参照によって組み込まれる、２０１５年１０月１３日に発行された、米国特許第９，１５６，６８０号に説明されるような３Ｄ印刷方法によって、画定されることができる。さらに、図５Ａおよび５Ｂにおけるアンテナは３つのセグメント（例えば、内セグメント３１３および２つの外セグメント３１４）を備えて例証されるが、任意の他の形状の、または数のセグメントが、パッケージ３００の壁３０２においてアンテナを画定するために使用されることができることが理解されるべきである。
【００３８】
図５Ｂは、パッケージ化された一体型デバイス３００の概略的な上部断面図である。特に述べられない限り、図５Ｂに示されるパッケージ３００の要素は、図５Ａに示される同じ数が付された要素と同じ、または概して同様であり得る。図５Ａのように、放射素子３４０および接地素子３３０は、パッケージ本体３１１の内側に、例えば縦壁３０２に沿って、および埋め込まれて、配置されることができる。しかしながら、図５Ａとは異なり、図５Ｂでは、複数のアンテナ（複数の放射素子３４０および対応する複数の接地素子３３０を含む）が、パッケージ３００の多数の壁３０２に沿って配置されることができる。少なくとも１つ、またはすべての放射素子３４０および接地素子３３０は、上記で説明されたように、湾曲していることができ、および／または角度が付けられることができる。各接地素子３３０は、対応する放射素子３４０と一体型デバイスダイ３２０との間に配置されることができる。図５Ｃに示されるように、角度が付けられたアンテナは、パッケージ３００が、図５Ｃに示されるように、制御された角度θで放射を送信する、および／または受信することを可能にすることができる。角度θは、約１°〜４５°の範囲など、１°〜９０°の範囲であり得る。
【００３９】
図５Ｃは、パッケージ化された一体型デバイス３００の概略的な上部断面図である。特に述べられない限り、図５Ｃに示されるパッケージ３００の要素は、図５Ｂに示される同じ数が付された要素と同じ、または概して同様であり得る。複数の放射素子３４０に対応する複数の接地素子３３０を含む図５Ｂの実施形態とは異なり、図５Ｃでは、接地素子３３０は、相互接続されている、またはそうでなければ、連続的に接続された側壁接地板を形成する（図４Ｄに関して上記で説明されたように）。例示の実施形態では、すべての接地素子３３０は、パッケージ本体３１１の内側に接続されることができ、上記で説明されたように、湾曲していることができ、または角度が付けられることができる。例えば、図５Ｃでは、接地素子３３０は、内セグメント３１３と、角度が付けられたか、または曲げられた部分３０９によってデバイスダイ３２０から離れて延びる複数の外セグメント３１４と、を含むことができる。例えば、図５Ｃでは、外セグメント３１４は、実質的にパッケージ本体３１１の角に斜めに延びることができる。図５Ｃに示されるように、放射素子３４０は、直線状であり得、例えば、角度が付けられていない、または湾曲していない。しかしながら、他の実施形態では、放射素子は角度が付けられていてもよく、または湾曲していてもよい。
【００４０】
図６Ａは、パッケージ３００の多数の壁３０２に沿って、複数の角度が付けられた、または湾曲したアンテナを有する、パッケージ化された一体型デバイス３００の概略的な上部断面図である。特に述べられない限り、図６Ａに示されるパッケージ３００の要素は、図５Ａ〜５Ｃに示される同じ数が付された要素と同じ、または概して同様であり得る。しかしながら、図５Ａ〜５Ｃの実施形態とは異なり、放射素子３４０は、図４Ｃ〜４Ｄの実施形態と同様に、パッケージ壁３０２の外面３０６に配置されてもよい。さらに、接地素子３３０は、キャビティ３０１に露出されて、パッケージ壁３０２の内面３０８に配置されてもよい。図５Ａ〜５Ｃのように、放射素子３４０は、内セグメント３１３と、外向きに延びる外セグメント３１４と、を含むことができ、例えば、外セグメント３１４はダイ３２０から離れて延びる。角度が付けられた、または曲げられた部分３０９は、様々な実施形態では湾曲していることができる。
【００４１】
図６Ｂは、パッケージ３００の多数の壁３０２に沿って、複数のキャスタレーションが付けられたアンテナと、共通の接地素子３３０と、を有する、パッケージ化された一体型デバイス３００の概略的な上部断面図である。特に述べられない限り、図６Ｂに示されるパッケージ３００の要素は、図５Ａに示される同じ数が付された要素と同じ、または概して同様であり得る。しかしながら、図６Ａとは異なり、接地素子３３０は、互いに接続されることができる、またはそうでなければ、連続的に接続された側壁接地板を画定することができる（図４Ｄおよび５Ｃの実施形態と同様に）。さらに、放射素子３４０の外角領域３２８は、図６Ｂでは湾曲していてもよく、または円形であってもよい。図６Ｃは、別の実施形態による、パッケージ３００の多数の壁３０２に沿った複数のキャスタレーションが付けられたアンテナと、連続的に接続された（例えば、環状、または閉じられた）接地素子３３０と、を有する、パッケージ化された一体型デバイス３００の概略的な上部断面図である。図６Ｂとは異なり、接地素子３３０の外角領域３２８は、尖った角（例えば、９０°）で角度が付けられていてもよい。
【００４２】
本明細書で開示される、放射素子３４０および接地素子３３０の形状と、放射素子３４０、接地素子３３０、およびパッケージ本体３１１の相対位置と、放射素子３４０および接地素子３３０の方向と、は例であることが理解されるべきである。当業者は、形状および配向の変更が可能であることを理解するであろう。
適用
【００４３】
上記で説明されたスキームを利用するデバイスは、様々な電子デバイスにおいて実施されることができる。電子デバイスの例は、限定されないが、家庭用電化製品、家庭用電化製品の部品、電子試験機器などを含む。電子デバイスの例は、メモリチップ、メモリモジュール、光ネットワークまたは他の通信ネットワークの回路、およびディスク駆動回路も含むことができる。家庭用電化製品は、限定されないが、自動車、携帯電話、電話、テレビ、コンピュータモニタ、コンピュータ、手持ち式コンピュータ、携帯情報端末（ＰＤＡ）、電子レンジ、冷蔵庫、自動車、ステレオシステム、カセットレコーダまたはプレーヤ、ＤＶＤプレーヤ、ＣＤプレーヤ、ＶＣＲ、ＭＰ３プレーヤ、ラジオ、カムコーダ、カメラ、デジタルカメラ、携帯メモリチップ、洗濯機、乾燥機、洗濯／乾燥機、コピー機、ファクシミリ、スキャナ、多機能周辺デバイス、腕時計、時計なども含むことができる。さらに、電子デバイスは、未完成の製品を含むことができる。
【００４４】
本発明は、特定の好ましい実施形態および実施例の文脈で開示されたが、本発明は、具体的に開示された実施形態を超えて、他の代替の実施形態および／または本発明の使用、ならびに自明な変更およびその等価物まで拡張することが当業者に理解されるであろう。また、本発明のいくつかの変形が詳細に示され、説明されたが、本発明の範囲内である他の変更が、この開示に基づいて、当業者には容易に明らかであるであろう。実施形態の具体的な特徴および態様の様々な組み合わせ、または部分的な組み合わせが、行われてもよく、本発明の範囲内であることも想定される。開示される実施形態の様々な特徴および態様が、開示された発明の異なる形態を形成するために、互いに組み合わせられることができる、または代用されることができることが理解されるべきである。したがって、本明細書で開示される本発明の範囲が、上記で述べられる特定の開示される実施形態によって限定されるべきではないことが意図されるが、下記の特許請求の範囲の公正な読了によってのみ判断されるべきである。
【符号の説明】
【００４５】
１００  一体型デバイス
１０１  パッケージ基板
１０２  リード
１０４  接着剤
１０５  放射リード延長部
１０６  接地リード延長部
１０７  接着ワイヤ
１１０  ダイパッド
１１１  放射素子
１１２  接地素子
１１３  非導電性材料
１２０  デバイスダイ
１３０  成形材料
【図１Ａ】
2018110393.tif 000003
【図１Ｂ】
2018110393.tif 000004
【図２】
2018110393.tif 000005
【図３Ａ】
2018110393.tif 000006
【図３Ｂ】
2018110393.tif 000007
【図４Ａ】
2018110393.tif 000008
【図４Ｂ】
2018110393.tif 000009
【図４Ｃ】
2018110393.tif 000010
【図４Ｄ】
2018110393.tif 000011
【図５Ａ】
2018110393.tif 000012
【図５Ｂ】
2018110393.tif 000013
【図５Ｃ】
2018110393.tif 000014
【図６Ａ】
2018110393.tif 000015
【図６Ｂ】
2018110393.tif 000016
【図６Ｃ】
2018110393.tif 000017
【外国語明細書】
2018110393000001.pdf